(57)【要約】【課題】表面デザインを簡単に変更することができる仏壇を提供する。【解決手段】少なくとも２枚以上の開閉式扉を有する仏壇において、前記扉が、外部から視認され、該扉から脱着自在に固定される表示層を有し、前記表示層を取り換える手段を備える。また、前記扉が、平行する２辺を有する枠体と、該枠体に脱着自在に固定され、前記表示層を含む戸板とからなり、前記枠体が、前記表示層を取り換える手段となることが好ましい。【選択図】図４
0003152016.tif 000002
【実用新案登録請求の範囲】
【請求項１】
２または３枚の開閉式扉を有する仏壇において、
前記扉が、外部から視認され、該扉に脱着自在に固定される表示層を有し、
前記表示層を取り換える手段を備えることを特徴とする仏壇。
【請求項２】
４枚の開閉式扉を有する仏壇において、
前記扉が、外部から視認され、該扉に脱着自在に固定される表示層を有し、
前記表示層を取り換える手段を備えることを特徴とする仏壇。
【請求項３】
５枚以上の開閉式扉を有する仏壇において、
前記扉が、外部から視認され、該扉に脱着自在に固定される表示層を有し、
前記表示層を取り換える手段を備えることを特徴とする仏壇。
【請求項４】
前記扉が、前記表示層を含む分離可能な２層からなる積層体を有することを特徴とする請求項１〜３記載の仏壇。
【請求項５】
前記扉が、前記表示層を含む分離可能な３層からなる積層体を有することを特徴とする請求項１〜３記載の仏壇。
【請求項６】
前記扉が、前記表示層を含む分離可能な４層以上からなる積層体を有することを特徴とする請求項１〜３記載の仏壇。
【請求項７】
前記扉が、前記表示層を含む２層からなる積層体を有し、
前記２層が一体形成されてなることを特徴とする請求項１〜３記載の仏壇。
【請求項８】
前記積層体の端の１層のみが透明性を有することを特徴とする請求項４〜７記載の仏壇。
【請求項９】
前記積層体の両端の２層が透明性を有することを特徴とする請求項５または６記載の仏壇。
【請求項１０】
前記扉が、
平行する２辺を有する枠体と、該枠体に脱着自在に固定され、前記表示層を含む戸板とからなり、
前記枠体が、前記表示層を取り換える手段となることを特徴とする請求項１〜９記載の仏壇。
【請求項１１】
前記扉が、
矩形状の枠体と、該枠体に脱着自在に固定され、前記表示層を含む戸板とからなり、
前記枠体が、前記表示層を取り換える手段となることを特徴とする請求項１〜９記載の仏壇。
【考案の詳細な説明】
【技術分野】
【０００１】
本考案は仏壇に関する。さらに詳細には室内空間に載置される仏壇に関する。
【背景技術】
【０００２】
図５は従来の仏壇の概略斜視図である。図を参照して、仏壇１００は前面のほぼ全体が開口した箱形状である。開口した領域の両側には、中折れ式かつ観音開き式に開閉する小扉１１０ａ、１１０ｂ、１１０ｃ、１１０ｄが取り付けられ、開口領域を開閉する。小扉１１０ａ、１１０ｂ、１１０ｃ、１１０ｄは中身の詰まった板などによって構成されている。
【０００３】
また、片開き式に開閉する一枚扉が額のように構成され、写真や絵画などをその額に展示することができる仏壇もすでに知られている。
【考案の概要】
【考案が解決しようとする課題】
【０００４】
しかし、従来からある複数の小扉を有する仏壇は表面デザインが定まっているため、たとえば仏壇が載置された室内の模様替えをした際に、仏壇が室内デザインに調和しないという問題があった。特に、生活習慣が多様化した現代においては、引越しやリフォームなどにより居住空間の室内デザインが大きく変化する機会が多く、仏壇と室内デザインとの不調和の問題はより顕著である。にもかかわらず、それを解決するためには新たな仏壇を購入するか、業者に依頼して仏壇の表面デザインを変更するしかなく、購入者自身がその好みに応じて簡単に仏壇の表面デザインを変更できないという問題があった。
【０００５】
また、上記従来の仏壇は、同じ形状および構造を有しながらも表面デザインや色調の異なるものについては別途製造しなければならなかったため、在庫点数が増えてしまうという問題があった。さらに、現代人の趣向は多様化しており、それは仏壇についても例外ではない。多種多彩なデザインを容易に取り入れることができる仏壇の創出が望まれていた。
【０００６】
本考案は、上記従来の問題に鑑みてなされたものであり、複数の小扉のそれぞれの戸板を脱着自在に構成し、その戸板を構成する表示層を別の表示層と交換することにより、表面デザインを簡単に変更することができる仏壇を提供することを目的とする。
【課題を解決するための手段】
【０００７】
本考案の仏壇は、２または３枚の開閉式扉を有する仏壇において、前記扉が、外部から視認され、該扉に脱着自在に固定される表示層を有し、前記表示層を取り換える手段を備えることを特徴としている。
【０００８】
本考案の仏壇は、４枚の開閉式扉を有する仏壇において、前記扉が、外部から視認され、該扉に脱着自在に固定される表示層を有し、前記表示層を取り換える手段を備えることを特徴としている。
【０００９】
本考案の仏壇は、５枚以上の開閉式扉を有する仏壇において、前記扉が、外部から視認され、該扉に脱着自在に固定される表示層を有し、前記表示層を取り換える手段を備えることを特徴としている。
【００１０】
また、前記扉が、前記表示層を含む分離可能な２層からなる積層体を有することが好ましい。
【００１１】
また、前記扉が、前記表示層を含む分離可能な３層からなる積層体を有することが好ましい。
【００１２】
また、前記扉が、前記表示層を含む分離可能な４層以上からなる積層体を有することが好ましい。
【００１３】
また、前記扉が、前記表示層を含む２層からなる積層体を有し、前記２層が一体形成されてなることが好ましい。
【００１４】
また、前記積層体の端の１層のみが透明性を有することが好ましい。
【００１５】
前記積層体の両端の２層が透明性を有することが好ましい。
【００１６】
また、前記扉が、平行する２辺を有する枠体と、該枠体に脱着自在に固定され、前記表示層を含む戸板とからなり、前記枠体が、前記表示層を取り換える手段となることが好ましい。
【００１７】
また、前記扉が、矩形状の枠体と、該枠体に脱着自在に固定され、前記表示層を含む戸板とからなり、前記枠体が、前記表示層を取り換える手段となることが好ましい。
【考案の効果】
【００１８】
本考案の仏壇によれば、外部から視認される複数の小扉のそれぞれの表示層が脱着されるため、購入者自身が室内デザインや好みに応じて異なる表示層に交換することができる。また、表示層を異なるデザインのものに交換することができるため、デザインごとに仏壇を製造する必要がなく、製造販売業者は在庫点数を減らすことができ、在庫管理が容易となり、コストも低減できる。さらに、表示層を交換するだけで多様なデザインを取り入れることができるので、デザインの選択肢が大幅に増加する。さらに、表示層が破損してもその交換が容易であるため、修復の際のコスト負担を軽減できる。
【図面の簡単な説明】
【００１９】
【図１】本考案の第１の実施の形態による仏壇の概略斜視図である。
【図２】本考案の第１の実施の形態による扉の概略斜視図である。
【図３】図２のIII−IIIラインにおける端面図である。
【図４】本考案の第１の実施の形態による扉の分解斜視図である。
【図５】従来の仏壇の概略斜視図である。
【考案を実施するための形態】
【００２０】
本考案の実施の形態にかかわる仏壇について、添付図面に沿って以下詳細に説明する。
【００２１】
図１は本考案の第１の実施の形態による仏壇の概略斜視図であり、図２は本考案の第１の実施の形態による扉の概略斜視図であり、図３は図２のIII−IIIラインにおける端面図であり、図４は本考案の第１の実施の形態による扉の分解斜視図である。
【００２２】
図１を参照して、仏壇１の基本的な構成は図５で説明した従来の仏壇と同様である。すなわち、仏壇１はその前面のほぼ全体が矩形状の開口端ＴＲ、ＴＬを備えた箱形状であり、開口端ＴＲ，ＴＬの互いに対向した領域には、それぞれ２枚づつの小扉（１０ａ、１０ｂ）、（１０ｃ、１０ｄ）から構成された左右１対の扉ＤＲ，ＤＬがそれぞれヒンジＨを介して取り付けられている。また、各小扉１０ａ、１０ｂ、１０ｃ、１０ｄは中折れ式かつ観音開き式に開閉するように取り付けられている。
【００２３】
２枚の小扉（１０ａ、１０ｂ）、（１０ｃ、１０ｄ）のそれぞれは、左右扉ＤＲ，ＤＬが開いたときに内側に折り畳まれるようにヒンジ（図示せず）を介して折り畳み自在に接続されている。これによって、たとえば右扉ＤＲが開いたとき、２枚の小扉１０ａ、１０ｂは開口の右端ＴＲでコンパクトに折り畳まれる。また、２枚の小扉１０ａ、１０ｂ同士を接続するヒンジ（図示せず）は外部に露出されていない。これによって、ヒンジ（図示せず）は仏壇１の外観に影響を及ぼさない。左扉ＤＬについても同様に構成されている。なお、小扉１０ａ、１０ｂ、１０ｃ、１０ｄは同一形状を有するため、以下単に扉１０として説明し、他について説明は繰り返さない。
【００２４】
図２を参照して、扉１０は矩形状の枠体１１と枠体１１の内側を覆うように枠体１１に固定される矩形状の戸板１２とから構成されている。枠体１１はその内側で固定される戸板１２の交換を容易にするためのものであり、木材、金属または合成樹脂からなる。また、枠体１１は４つの棒状部材を矩形に組み合わせたものであり、上辺１５、両側辺１６ａ、１６ｂ、下辺１７とから構成され、それらの内側は開口した構造となっている。
【００２５】
また、上辺１５と両側辺１６ａ、１６ｂが接する両角部分の外側には、上辺１５とそれぞれの側辺１６ａ、１６ｂとにわたるように、かつ上辺１５とそれぞれの側辺１６ａ、１６ｂに対して斜めに切り欠かれるように切欠き１８ａ、１８ｂが形成されている。
【００２６】
切欠き１８ａ、１８ｂには、固着片１９ａ、１９ｂが枠体１１の外側表面から突出しないように嵌合され、これによって上辺１５と両側辺１６ａ、１６ｂとは脱着自在に固定されている。したがって、固着片１９ａ、１９ｂを取り外すことによって、上辺１５を両側辺１６ａ、１６ｂから分離することができる。切欠き１８ａ、１８ｂの形状は特に限定されないため、固着片１９ａ、１９ｂの形状も特に限定されないが、製造および脱着が容易であるという理由から、本実施の形態では固着片１９ａ、１９ｂは、切欠き１８ａ、１８ｂと同一形状の一定の幅を有する三角形状である。なお、切欠き１８ａ、１８ｂおよび固着片１９ａ、１９ｂの両方に、切欠き１８ａ、１８ｂへの固着片１９ａ、１９ｂの進入方向に対してテーパを形成すると、両者をより強く固定し、かつ脱着が容易になる点で好ましい。この場合、固着片１９ａ、１９ｂは楔形状となる。
【００２７】
図３を参照して、枠体１１の互いに対向する２側辺１６ａ、１６ｂの内側の幅方向ほぼ中央には長手方向に延長するガイドレール２５ａ、２５ｂが形成されている。ガイドレール２５ａ、２５ｂは、それぞれ側辺１６ａ、１６ｂの長手方向に対する横断面が、戸板１２の幅よりわずかに広い幅を有する凹状に形成されている。これによって、ガイドレール２５ａ、２５ｂは戸板１２を摺動自在に固定することができる。つまり、ガイドレール２５ａ、２５ｂが形成された枠体１１は、後述する表示層２１を含む戸板１２を取り換える手段として機能する。なお、枠体１１の上辺１５および下辺１７の内側にも戸板１２を固定するためのガイドレール２６ａ、２６ｂがそれぞれ形成されている。
【００２８】
矩形状の戸板１２は外部から視認されるものであり、枠体１１の開口部分に脱着自在に固定される。戸板１２は、透明なガラス板からなる保護層２０と、デザイン（図示せず）が付された和紙からなる表示層２１と、表示層２１を内側から支持するガラス板からなる支持層２２とが外側から順に積層された構造である。保護層２０は表示層２１を外側から視認できる透明板の層であり、表示層２１が破損または劣化しないように保護するためのものである。表示層２１はそれに付されたデザインなどを外部に表示し、仏壇１のデザインに寄与する。支持層２２は、和紙などのようにそれ自体では張設されない表示層２１を支持するためのものである。このように構成された戸板１２は、枠体１１の各辺内側に形成されたガイドレール２５ａ、２５ｂ、２６ａ、２６ｂにその外縁部分が嵌め込まれることによって枠体１１の内側で固定される。本実施の形態では、和紙からなる表示層２１は、ガイドレール２５ａ、２５ｂ、２６ａ、２６ｂ内に沿った状態の保護層２０と支持層２２とに挟まれて張設されている。
【００２９】
次に、表示層２１の交換方法について説明する。まず、枠体１１の内側で固定された表示層２１を、枠体１１から取り外す。図４を参照して、枠体１１の上辺１５と両側辺１６ａ、１６ｂとを固定している固着片１９ａ、１９ｂを取り外す。これによって枠体１１の上辺１５は両側辺１６ａ、１６ｂに対して脱着可能な状態となり、上辺１５を取り外すことができる。なお、固定された上辺１５自体を把持し、固着片１９ａ、１９ｂもろとも両側辺１６ａ、１６ｂから分離しても良い。そして、枠体１１のガイドレール２５ａ、２５ｂに摺動自在に固定されている戸板１２を構成する表示層２１を、開放された上辺１５側から引き出し、表示層２１を枠体１１から取り外す。
【００３０】
次に、表示層２１とは異なるデザインを有する同一形状の表示層（図示せず）をガイドレール２５ａ、２５ｂに沿うように挿入し、表示層（図示せず）を枠体１１に固定する。このとき、上記のように表示層２１のみを交換しても良く、戸板１２を構成する保護層２０、支持層２２をまとめて交換しても良い。これによって、扉１０のデザインは簡単に変更される。枠体１１の上辺１５を両側辺１６ａ、１６ｂの上部に合わせた後、固着片１９ａ、１９ｂを切欠き１８ａ、１８ｂに嵌め込んで上辺１５と両側辺１６ａ、１６ｂとを固定する。すると、表示層２１を交換するだけで異なるデザインを有する扉１０が得られ、その扉１０を有する仏壇１は表示層２１の交換前とは異なるデザインを有する仏壇１となる。
【００３１】
以上、本実施の形態による仏壇は、室内デザインや好みに応じて表示層を簡単かつ様々に変更させることが可能となる。たとえば、開閉式扉に形成された各小扉の表示層のそれぞれを互いに入れ替えるだけで異なったデザインの仏壇を得ることができる。また、たとえば、表示層に最新の流行デザインを取り入れた仏壇を作製することも可能である。また、たとえば仏壇のボディを３色程度とした場合であっても、表示層を変更するだけで多様なデザインとすることができるため、同じ形状および構造を有する仏壇の在庫点数を減らすことができる。
【００３２】
なお、上記実施の形態では、仏壇の扉は４枚の小扉から構成された観音開き式かつ中折れ式の扉であったが、これに限定されるものではなく、小扉枚数２枚または３枚の開き扉であっても良く、小扉枚数５枚以上のものであっても良い。
【００３３】
また、表示層を取り換える手段は、本実施の形態ではガイドレールが形成された矩形状の枠体であったが、これに限定されるものではない。たとえば、表示層を２枚の透明板で挟み、ネジなどによって脱着自在に固定する固定部材であっても良く、該固定部材は、扉のヒンジに連結された、透明板の１辺の一部を固定するものであっても良い。さらに、表示層を取り換える手段は、表示層をその上下で脱着自在に保持する、棒状の上下２辺からなる保持体であっても良く、該保持体の内側にガイドレールを形成し、該ガイドレールに沿うように表示層を摺動させるものであっても良い。
【００３４】
上記実施の形態では戸板は３層からなる積層体であったが、これに限定されるものではなく、２層であっても良く、デザイン性の観点から半透明の層を重ね合わせた４層以上とすることもできる。２層以上とする場合、そのうちの１層のみが透明性を有することが、表示層を外部に視認させる点およびデザイン性の観点から好ましい。また、３層以上の多層とする場合、両端の２層が透明性を有することが好ましい。透明性を有する層の材質は特に限定されないが、ガラスや透明プラスチックを用いることができる。また、表示層はデザインが付された和紙に限定されるものではなく、無地の和紙でも良く、絵画などのデザインが付された洋紙でも良く、布、プラスチックフィルムなどにすることもできる。
【００３５】
また、戸板は少なくとも一方の面をアクリルなどの合成樹脂によってラミネートした和紙からなるワーロンシート（登録商標）とすることができる。ワーロンシートは、ラミネート層と和紙層が一体形成されたものである。これによって、戸板を薄くすることができる。
【００３６】
さらに、枠体から取外し可能な辺は本実施の形態では上辺であったが、これに限定されず、下辺または両側辺の一方が脱着されるように構成しても良い。
【符号の説明】
【００３７】
１、１００  仏壇
１０  扉
１０ａ、１０ｂ、１０ｃ、１０ｄ、１１０ａ、１１０ｂ、１１０ｃ、１１０ｄ  小扉
１１  枠体
１２  戸板
１５  上辺
１６ａ、１６ｂ  側辺
１７  下辺
１８  切欠き
１９  固着片
２０  保護層
２１  表示層
２２  支持層
２５ａ、２５ｂ、２６ａ、２６ｂ  ガイドレール
ＴＬ  開口左端
ＴＲ  開口右端
ＤＬ  左扉
ＤＲ  右扉
Ｈ  ヒンジ
【図１】
0003152016.tif 000003
【図２】
0003152016.tif 000004
【図３】
0003152016.tif 000005
【図４】
0003152016.tif 000006
【図５】
0003152016.tif 000007
【手続補正書】
【提出日】平成21年5月8日(2009.5.8)
【手続補正１】
【補正対象書類名】実用新案登録請求の範囲
【補正対象項目名】全文
【補正方法】変更
【補正の内容】
【実用新案登録請求の範囲】
【請求項１】
２または３枚の開閉式扉を有する仏壇において、
前記扉が、外部から視認され、該扉に脱着自在に固定される表示層を有することを特徴とする仏壇。
【請求項２】
４枚の開閉式扉を有する仏壇において、
前記扉が、外部から視認され、該扉に脱着自在に固定される表示層を有することを特徴とする仏壇。
【請求項３】
５枚以上の開閉式扉を有する仏壇において、
前記扉が、外部から視認され、該扉に脱着自在に固定される表示層を有することを特徴とする仏壇。
【請求項４】
前記扉が、前記表示層を含む分離可能な２層からなる積層体を有することを特徴とする請求項１〜３のいずれか１項に記載の仏壇。
【請求項５】
前記扉が、前記表示層を含む分離可能な３層からなる積層体を有することを特徴とする請求項１〜３のいずれか１項に記載の仏壇。
【請求項６】
前記扉が、前記表示層を含む分離可能な４層以上からなる積層体を有することを特徴とする請求項１〜３のいずれか１項に記載の仏壇。
【請求項７】
前記扉が、前記表示層を含む２層からなる積層体を有し、
前記２層が一体形成されてなることを特徴とする請求項１〜３のいずれか１項に記載の仏壇。
【請求項８】
前記積層体の端の１層のみが透明性を有することを特徴とする請求項４〜７のいずれか１項に記載の仏壇。
【請求項９】
前記積層体の両端の２層が透明性を有することを特徴とする請求項５または６記載の仏壇。
【請求項１０】
前記扉が、
平行する２辺を有する枠体と、該枠体に脱着自在に固定され、前記表示層を含む戸板とからなることを特徴とする請求項１〜９のいずれか１項に記載の仏壇。
【請求項１１】
前記扉が、
矩形状の枠体と、該枠体に脱着自在に固定され、前記表示層を含む戸板とからなることを特徴とする請求項１〜９のいずれか１項に記載の仏壇。